(57)【要約】  【課題】  この発明は、車両用の電装機器に設けたスイッチの表示装置において、多機能スイッチの複数の機能が同時に表記されることによる煩わしさを解消しつつ、夜間等のスイッチ操作の誤操作を防止することができるスイッチ表示装置を提供することを目的とする。  【解決手段】  車両用のオーディオ装置１に設けたスイッチの表示装置であって、複数の動作モードのうち一つの動作モードを選択するモード選択スイッチ５と、該モード選択スイッチ５によって選択された動作モードに応じて入力機能が変化する多機能スイッチ８ａと、該多機能スイッチ８ａの近傍で且つステアリングホイールに対して多機能スイッチ８ａよりも遠い位置に設置し、多機能スイッチ８ａの動作モードに応じた機能内容を表示する機能表示部９とを備えたものである。  【選択図】  図２
2006040683.tif 000002
【特許請求の範囲】
【請求項１】
車両用の電装機器に設けたスイッチの表示装置であって、
複数の動作モードのうち一つの動作モードを選択するモード選択手段と、
該モード選択手段によって選択された動作モードに応じて入力機能が変化する多機能スイッチと、
該多機能スイッチの近傍で且つステアリングホイールに対して多機能スイッチよりも遠い位置に設置し、多機能スイッチの動作モードに応じた機能内容を表示する機能表示部とを備えた
車両用スイッチ表示装置。
【請求項２】
前記多機能スイッチに、スイッチ部分で発光する発光手段を設けた
請求項１記載の車両用スイッチ表示装置。
【請求項３】
車両用の電装機器に設けたスイッチの表示装置であって、
複数の動作モードのうち一つの動作モードを選択するモード選択手段と、
該モード選択手段によって選択された動作モードに応じて入力機能が変化する多機能スイッチと、
該多機能スイッチの近傍で多機能スイッチの動作モードに応じた機能内容を表示する機能表示部と、
前記多機能スイッチに設けられ、スイッチ部分で発光する発光手段とを備えた
車両用スイッチ表示装置。
【請求項４】
前記機能表示部の機能表示を、第二発光手段で行い、
前記多機能スイッチの発光手段の輝度を、第二発光手段の輝度よりも高く設定した
請求項２又は３記載の車両用スイッチ表示装置。
【請求項５】
前記機能表示部の機能表示を、第二発光手段で行い、
前記多機能スイッチの発光手段の発光面積を、第二発光手段の発光面積よりも広く設定した
請求項２又は３記載の車両用スイッチ表示装置。
【発明の詳細な説明】
【技術分野】
【０００１】
車両用のオーディオ装置等の電装機器に設けたスイッチの表示装置、特に、所謂多機能スイッチを備えた電装機器のスイッチの表示装置に関する。
【背景技術】
【０００２】
車両用のオーディオ装置等の電装機器では、操作スイッチのレイアウトスペースを大きく確保できないため、一つの操作スイッチで複数の機能内容が切替え可能に割り当てられた、所謂多機能スイッチを備える場合が多い。
【０００３】
例えば、オーディオ装置の多機能スイッチでは、一つのスイッチがＣＤモード、ラジオモード及びカセットモード等の各モードに応じて、複数の機能を果たすように構成している。
【０００４】
もっとも、このように一つのスイッチが複数の機能を果たすため、従来の多機能スイッチでは、そのスイッチやその周囲に、印刷や塗布の方法により、各機能ごとの表示を並列的に表記するのが一般的であった。
【０００５】
しかし、単に各機能を表記しているだけであるため、実際にスイッチを操作する場合には、現時点でどの機能を果たすのか分かりづらく、スイッチ操作が困難になるという問題がある。
【０００６】
そこで、下記特許文献１が提案されている。この特許文献１では、多機能スイッチの近傍に機能表示部を設け、その機能表示部の表示内容をＬＥＤ（発光ダイオード）等を用いて各モードごとに変更することで、当該スイッチが現時点でどの機能を果たすのかを容易に分かるように構成している。
【０００７】
この特許文献１の技術によれば、前述の問題を解消できるため、多機能スイッチにおける電装機器の操作を容易に行なうことができる。
【０００８】
【特許文献１】特開平１１−２７３４８７号公報
【発明の開示】
【発明が解決しようとする課題】
【０００９】
ところで、運転者は、オーディオ装置等の電装機器を操作する際に、その操作スイッチを凝視するのではなく、ある程度、操作位置を目視した後に、操作スイッチを見ることなく感覚でスイッチ操作を行うことがある。
【００１０】
前述の特許文献１の装置で、このようなスイッチ操作を行った場合、例えば、夜間で車室内の視認性が悪い場合には、スイッチ上方に設けた機能表示部がＬＥＤで表示されているため、スイッチではなく、その機能表示部を操作（押圧）してしまい、うまくスイッチ操作を行うことができないといった問題が生じる可能性あった。
【００１１】
そこで、この発明は、車両用の電装機器に設けたスイッチの表示装置において、多機能スイッチの複数の機能が同時に表記されることによる煩わしさを解消しつつ、夜間等のスイッチ操作の誤操作を防止することができるスイッチ表示装置を提供することを目的とする。
【課題を解決するための手段】
【００１２】
この発明の車両用スイッチ表示装置は、車両用の電装機器に設けたスイッチの表示装置であって、複数の動作モードのうち一つの動作モードを選択するモード選択手段と、該モード選択手段によって選択された動作モードに応じて入力機能が変化する多機能スイッチと、該多機能スイッチの近傍で且つステアリングホイールに対して多機能スイッチよりも遠い位置に設置し、多機能スイッチの動作モードに応じた機能内容を表示する機能表示部とを備えたものである。
【００１３】
上記構成によれば、モード選択手段により複数の動作モードのうち一つの動作モードを選択すると、多機能スイッチの入力機能が変化し、その動作モードに応じた機能内容を、多機能スイッチの近傍で且つステアリングホイールに対して多機能スイッチよりも遠い位置に設置した機能表示部で表示することになる。
【００１４】
これにより、機能表示部で、動作モードに応じた多機能スイッチの機能内容を表示することができ、また、その機能表示部を、多機能スイッチの近傍で且つステアリングホイールに対して多機能スイッチよりも遠い位置に設置したため、運転者は、機能表示部を操作することなく多機能スイッチを操作しやすくなる。
【００１５】
この発明の一実施態様においては、前記多機能スイッチに、スイッチ部分で発光する発光手段を設けたものである。
【００１６】
上記構成によれば、発光手段によって、多機能スイッチのスイッチ部分が発光する。これにより、多機能スイッチが目立つことになるため、運転者が、例えば夜間等に操作を行う場合に、目視確認が充分でなくても確実に多機能スイッチを操作することができ、夜間等の誤操作を防止することができる。
【００１７】
この発明の車両用スイッチ表示装置は、車両用の電装機器に設けたスイッチの表示装置であって、複数の動作モードのうち一つの動作モードを選択するモード選択手段と、該モード選択手段によって選択された動作モードに応じて入力機能が変化する多機能スイッチと、該多機能スイッチの近傍で多機能スイッチの動作モードに応じた機能内容を表示する機能表示部と、前記多機能スイッチに設けられ、スイッチ部分で発光する発光手段とを備えたものである。
【００１８】
上記構成によれば、モード選択手段により複数の動作モードのうち一つの動作モードを選択すると、多機能スイッチの入力機能が変化し、その動作モードに応じた機能内容を、多機能スイッチの近傍に設置した機能表示部で表示する。そして、発光手段によって、多機能スイッチのスイッチ部分が発光することになる。
【００１９】
これにより、機能表示部で、動作モードに応じた多機能スイッチの機能内容を表示することができ、また、発光手段によって多機能スイッチのスイッチ部分が発光するため、夜間等に、多機能スイッチが目立つことになり、運転者は多機能スイッチを操作しやすくなる。
【００２０】
この発明の一実施態様においては、前記機能表示部の機能表示を、第二発光手段で行い、前記多機能スイッチの発光手段の輝度を、第二発光手段の輝度よりも高く設定したものである。、
上記構成によれば、第二発光手段で機能表示部の機能表示が行われることで、多機能スイッチの機能内容を確実に運転者に認識させつつ、多機能スイッチの発光手段の輝度を、第二発光手段の輝度よりも高く設定したため、多機能スイッチの方が目立つことになるため、運転者は、確実に多機能スイッチを操作しやすくなり、夜間等の誤操作を防止することができる。
【００２１】
この発明の一実施形態においては、前記機能表示部の機能表示を、第二発光手段で行い、前記多機能スイッチの発光手段の発光面積を、第二発光手段の発光面積よりも広く設定したものである。
【００２２】
上記構成によれば、第二発光手段で機能表示部の機能表示が行われることで、多機能スイッチの機能内容を確実に運転者に認識させつつ、多機能スイッチの発光手段の発光面積を、第二発光手段の発光面積よりも広く設定したため、多機能スイッチの方が目立つことになるため、運転者は、確実に多機能スイッチを操作しやすくなり、夜間等の誤操作を防止することができる。
【発明の効果】
【００２３】
請求項１に係る発明によれば、機能表示部で、動作モードに応じた多機能スイッチの機能内容を表示することができ、また、その機能表示部を、多機能スイッチの近傍で且つステアリングホイールに対して多機能スイッチよりも遠い位置に設置したため、運転者は、機能表示部を操作することなく多機能スイッチを操作しやすくなる。
【００２４】
よって、車両用の電装機器に設けたスイッチの表示装置において、多機能スイッチの複数の機能が同時に表記されることによる煩わしさを解消しつつ、夜間等のスイッチ操作の誤操作を防止することができる。
【００２５】
請求項３に係る発明によれば、機能表示部で、動作モードに応じた多機能スイッチの機能内容を表示することができ、また、発光手段によって多機能スイッチ自体が発光するため、夜間等に、多機能スイッチが目立つことになり、運転者は多機能スイッチを操作しやすくなる。
【００２６】
よって、車両用の電装機器に設けたスイッチの表示装置において、多機能スイッチの複数の機能が同時に表記されることによる煩わしさを解消しつつ、夜間等のスイッチ操作の誤操作を防止することができる。
【発明を実施するための最良の形態】
【００２７】
以下、図面に基づいて、この発明の実施形態を詳述する。  
図１は、本願発明の車両用スイッチ表示装置が適用されたオーディオ装置（電装機器）１の車室内での装着状態を示す車室内斜視図、図２は車両用スイッチ表示装置が適用されたオーディオ装置１の正面図、図３は図２のＡ−Ａ線矢視断面図である。
【００２８】
図１に示すようにオーディオ装置１は、車室内のインストルメントパネル２の中央に設けたセンターコンソール３内に設置している。この設置位置は、ステアリングホイール４から運転者が手を伸ばせば、即座に操作できる位置であり、車両走行中に、運転者がその操作位置を凝視しなくても、ある程度、操作位置を目視した後に、操作位置（手元）を見ずにスイッチ操作を行える位置に設定している。
【００２９】
図２に示すように、このオーディオ装置１の表面には、上部に各モードの選択を行う複数のモード選択スイッチ５を設け、その下部に矩形プレート状のスモークアクリル板６を設け、このスモークアクリル板６の中央にオーディオ装置１の音量を調節する円筒突起状のボリュームつまみ７を設けている。スモークアクリル板６の上側及び下側には、複数の開口穴６ａ…（上側列６箇所、下側列６箇所）を穿設して、その開口穴６ａ…に対応するように、複数の押圧ボタン式の操作スイッチ８…を設けている。
【００３０】
スモークアクリル板６には、各操作スイッチ８…に対応した近傍位置に、各操作スイッチ８…の機能内容を表示する機能表示部９…を設けている。この機能表示部９は、後述する構成要素によって機能内容の表示が浮き出るように構成している。例えば、上側列左端の操作スイッチ８に対応する機能表示部９では「１」と「ＤＩＳＫ∧」という機能内容の表示が浮き出るように構成しており、下側列左端の操作スイッチ８に対応する機能表示部９では「４」と「ＰＲＯＧ」という機能内容の表示が浮き出るように構成している。
【００３１】
この機能表示部９は、上側列の操作スイッチ８…ではその下側に設定され、下側列の操作スイッチ８…ではその上側に設定されている。
【００３２】
なお、この実施形態では、ボリュームつまみ７から左側の操作スイッチ８を各モードに応じて機能が変化する所謂多機能スイッチ８ａとして構成し、ボリュームつまみ７から右側の操作スイッチ８を一つの機能しか有しない単機能スイッチ８ｂとして構成しているため、左側の操作スイッチ８（８ａ）に対応する機能表示部９では、複数の機能内容を表示し、右側の操作スイッチ８（８ｂ）に対応する機能表示部９では、一つの機能内容を表示するように構成している。
【００３３】
また、各操作スイッチ８の表面には、スイッチ照明のため白色の照明ランプ１０を設けている。この照明ランプ１０は、後述のように車両のスモールランプ（図示せず）と連動して夜間に点灯し、夜間において操作スイッチ８がオーディオ装置１の表面で目立つように構成している。
【００３４】
この照明ランプ１０の発光面積は、後述の機能表示部９の機能内容の表示の発光面積よりも大きく設定しており、機能表示部９の機能内容の表示よりも目立つように構成している。このため、運転者は夜間において、操作スイッチ８の位置を容易に認識できるため、機能表示部９を誤操作することなく、確実に操作スイッチ８を操作することができる。
【００３５】
なお、この操作スイッチ８全体を照明ランプとして構成することで操作スイッチ８の全体を発光するように構成してもよい。この場合には、さらに操作スイッチ８が目立つため、より確実に誤操作を防止することができる。
【００３６】
図３の断面図によって、機能表示部９の表示構造を説明する。  
この機能表示部９では、その表面をなすスモークアクリル板６の背面側（図面では下方側）に文字印刷をした印刷シート９１を配置し、その背面側に赤色フィルタ９２を配置して、さらに機能内容の表示ごとに間を仕切る樹脂パネル９３をその背面側に配置している。そして、この背面側に基板９４に固定した白色の超高輝度ＬＥＤ（発光ダイオード）９５を配置することで機能表示部９の表示構造を構成している。
【００３７】
また、この機能表示部９では、ＬＥＤ９５を各文字ごとに一個ずつ設けているため、各文字は、隣の文字の影響を受けずに鮮やかに表示される。例えば「ＤＩＳＫ∧」の場合、「Ｄ」、「Ｉ」、「Ｓ」、「Ｋ」、「∧」、の各文字ごとにそれぞれに対応するようＬＥＤ９５…を設けている。
【００３８】
このように構成した機能表示部９では、ＬＥＤ９５を点灯させることで、印刷シートに印刷した文字を、スモークアクリル板６の表面に、赤色文字として浮き出るように表示させることができる。
【００３９】
次に、この機能表示部９の表示システム及び表示方法について、図４〜図６に基づき詳述する。図４はオーディオ装置１の電気的構成のうち表示・照明システムを中心に示したブロック図、図５は表示・照明制御の制御フローチャート、図６は実際の機能表示部９の表示状態を示した図である。
【００４０】
このオーディオ装置１には、表示・照明システムのコントローラ１１への入力手段として、運転者等からの操作を入力するモード選択スイッチ５と、多機能スイッチである第１〜第６操作スイッチ８（８ａ）…と、単機能スイッチである第７〜第１２操作スイッチ８（８ｂ）…と、夜間判定を行うためスモールライトのライトスイッチ１２を備え、出力手段として、多機能スイッチ８ａ…に対応した機能内容の表示を行うＬＥＤ９５…と、単機能スイッチ８ｂに対応した機能内容の表示を行うＬＥＤ９５…と、操作スイッチ８の照明ランプ１０を点灯するスイッチ照明１０ａとを備えている。さらに、各スイッチからの操作信号を出力する出力機器であるＡＭ／ＦＭラジオ１３、衛星ラジオ（ＳＡＴ）１４、ＣＤデッキ１５、ＭＤ又はカセットデッキ１６を接続している。
【００４１】
これら入出力手段が接続されたコントローラ１１には、各スイッチからのスイッチ操作信号の入力を受けるスイッチ操作入力部１１ａと、モードに応じて機能表示部９の表示内容を切り替える表示切替部１１ｂと、多機能スイッチ８ａの機能内容をモードに応じて切り替えるスイッチ機能切替部１１ｃと、前述のＡＭ／ＦＭラジオ等の出力機器１３〜１６に対する指令信号を発生させる指令信号発生部と１１ｄ、を備える。
【００４２】
この表示・照明システムのコントローラ１１では、図５に示す制御フローで制御を行う。  
まず、イグニッションキーをＡＣＣ（アクセサリ）位置に回すと、オーディオ装置１に電流が流れ、システムが始動する。そして、Ｓ１でモード選択スイッチ５とライトスイッチ１２の操作状態をコントローラ１１に入力する。次に、Ｓ２でモード選択スイッチ５の選択内容に応じて多機能スイッチ８ａのスイッチ機能の表示内容を選択する。例えば、ＡＭ／ＦＭラジオ１３のモードが選択されている場合には、「１」…を選択し、ＣＤデッキ１５のモードが選択されている場合には、「ＤＩＳＫ∧」…を選択する。
【００４３】
次に、Ｓ３でライトスイッチ１２がＯＮか否かを判定する。ＯＮであれば夜間と判断して、Ｓ６に移行し、そうでなければ昼間と判断して、Ｓ４に移行する。
【００４４】
Ｓ４に移行した場合は、ＬＥＤ９５…に対する表示輝度をＣ１に設定する。このＣ１は、後述のＣ２よりも電流値が大きい高輝度の値である。このように表示輝度を高輝度とすることで、昼間であっても、機能表示部９に機能内容の表示を浮き出るように表示することができる。
【００４５】
次に、Ｓ５で照明ランプ１０のスイッチ照明１０ａをＯＦＦにする。昼間の場合には、車室内も明るいため、操作スイッチ８…を誤操作するおそれが少なく、あえて操作スイッチ８…を目立たせる必要がないからである。
【００４６】
一方、ライトスイッチ１２がＯＮで、Ｓ６に移行した場合には、ＬＥＤ９５…に対する表示輝度をＣ１よりも電流値が小さい低輝度のＣ２に設定する。このように表示輝度を低輝度としたのは、夜間のため、低輝度であっても機能表示部９に機能内容の表示を浮き出させることができるため、電力消費量を削減するために低輝度に設定しているのである。
【００４７】
次に、Ｓ７で照明ランプ１０のスイッチ照明１０ａをＯＮにする。夜間では、車室内も暗く操作スイッチ８…の位置が分かりにくいため、操作スイッチ８…を目立たせるために、スイッチ照明１０ａをＯＮとするのである。この輝度は前述のＬＥＤ９５…の輝度Ｃ２よりも予め大きく設定している。これは、スイッチ照明１０ａの輝度をＬＥＤ９５…の輝度よりも高くすることで、操作スイッチ８の方を機能表示部９よりも目立つようにし、運転者等が誤って、機能表示部９を操作するおそれを少なくして操作スイッチ８を確実に操作できるようにするためである。
【００４８】
最後に、Ｓ８で選択された機能内容の表示を設定された輝度で表示するため、対応するＬＥＤ９５…に電流を供給する。このようにして、機能表示部９に機能内容の表示が表示される。
【００４９】
図６（ａ）に示した状態が、モード選択を行わずにＬＥＤ９５…を全て発光した状態で、（ｂ）の状態が、ＡＭ／ＦＭラジオ１３のモードを選択して「１」のＬＥＤ９５…だけを点灯させている状態、（ｃ）の状態が、ＣＤデッキ１５のモードを選択して「ＤＩＳＫ∧」のＬＥＤ９５…だけを点灯させている状態である。
【００５０】
このように、機能表示部９が各モードの操作スイッチ８の機能変化に応じて表示を変更するため、多機能スイッチ８ａの複数の機能が同時に表記されることによる煩わしさを解消することができる。
【００５１】
また、この多機能スイッチ８ａとなる操作スイッチ８は、機能表示部９の上側に設けられている。このように機能表示部９の上側に操作スイッチ８を設けることで、機能表示部９よりもステアリングホイール４から近い位置に操作スイッチ８を設置することになるため、運転者は、機能表示部９よりも操作スイッチ８の方が操作しやすくなり、機能表示部９がＬＥＤ９５で発光して目立つとしても、操作スイッチ８の方を操作することになり、誤操作を防止することができる。
【００５２】
なお、この操作スイッチ８…をスモークアクリル板６の表面よりも大きく運転者側に突出させて、操作スイッチ８の誤操作をさらに確実に防止してもよい。
【００５３】
また、この多機能スイッチ８ａとなる操作スイッチ８には、前述のように照明ランプ１０を設けているため、夜間には、この照明ランプ１０が点灯して操作スイッチ８が目立つことになる。よって、夜間における誤操作をより確実に防止することができる。特に、照明ランプ１０の発光面積を機能表示部９よりも大きく設定したため、操作スイッチ８の方が機能表示部９よりも目立つことになり、夜間における誤操作を防止することができる。
【００５４】
また、本実施態様では、機能表示部９の輝度よりも照明ランプ１０の輝度の方を高くしているため、さらに操作スイッチ８の方が目立つことになり、確実に誤操作を防止することができる。
【００５５】
次に、以上のように構成した本実施態様の作用及び効果について詳述する。
【００５６】
この実施態様の車両用スイッチ表示装置は、車両用のオーディオ装置１に設けたスイッチの表示装置であって、複数の動作モードのうち一つの動作モードを選択するモード選択スイッチ５と、該モード選択スイッチ５によって選択された動作モードに応じて入力機能が変化する多機能スイッチ８ａと、該多機能スイッチ８ａの近傍で且つステアリングホイール４に対して多機能スイッチ８ａよりも遠い位置に設置し、多機能スイッチ８ａの動作モードに応じた機能内容を表示する機能表示部９とを備えたものである。
【００５７】
上記構成によれば、モード選択スイッチ５により複数の動作モードのうち一つの動作モードを選択すると、多機能スイッチ８ａの入力機能が変化し、その動作モードに応じた機能内容を、多機能スイッチ８ａの近傍で且つステアリングホイール４に対して多機能スイッチ８ａよりも遠い位置に設置した機能表示部９で表示することになる。
【００５８】
これにより、機能表示部９で、動作モードに応じた多機能スイッチ８ａの機能内容を表示することができ、また、その機能表示部９を、多機能スイッチ８ａの近傍で且つステアリングホイール４に対して多機能スイッチ８ａよりも遠い位置に設置したため、運転者は、機能表示部９を操作することなく多機能スイッチ８ａを操作しやすくなる。
【００５９】
よって、車両用のオーディオ装置１に設けたスイッチの表示装置において、多機能スイッチ８ａの複数の機能が同時に表記されることによる煩わしさを解消しつつ、夜間等のスイッチ操作の誤操作を防止することができる。
【００６０】
また、この実施態様では、前記多機能スイッチ８ａに、スイッチ部分で発光する照明ランプ１０を設けたものである。
【００６１】
上記構成によれば、照明ランプ１０によって、多機能スイッチ８ａのスイッチ部分が発光する。これにより、多機能スイッチ８ａが目立つことになるため、運転者が、例えば夜間等に操作を行う場合に、目視確認が充分でなくても確実に多機能スイッチ８ａを操作することができ、夜間等の誤操作を防止することができる。
【００６２】
この実施態様の車両用スイッチ表示装置は、車両用のオーディオ装置１に設けたスイッチの表示装置であって、複数の動作モードのうち一つの動作モードを選択するモード選択スイッチ５と、該モード選択スイッチ５によって選択された動作モードに応じて入力機能が変化する多機能スイッチ８ａと、該多機能スイッチ８ａの近傍で多機能スイッチ８ａの動作モードに応じた機能内容を表示する機能表示部９と、前記多機能スイッチ８ａに設けられ、スイッチ部分で発光する照明ランプ１０とを備えたものである。
【００６３】
上記構成によれば、モード選択スイッチ５により複数の動作モードのうち一つの動作モードを選択すると、多機能スイッチ８ａの入力機能が変化し、その動作モードに応じた機能内容を、多機能スイッチ８ａの近傍に設置した機能表示部９で表示する。そして、照明ランプ１０によって、多機能スイッチ８ａのスイッチ部分が発光することになる。
【００６４】
これにより、機能表示部９で、動作モードに応じた多機能スイッチ８ａの機能内容を表示することができ、また、照明ランプ１０によって多機能スイッチ８ａのスイッチ部分が発光するため、夜間等に、多機能スイッチ８ａが目立つことになり、運転者は多機能スイッチ８ａを操作しやすくなる。
【００６５】
よって、車両用のオーディオ装置１に設けたスイッチの表示装置において、多機能スイッチ８ａの複数の機能が同時に表記されることによる煩わしさを解消しつつ、夜間等のスイッチ操作の誤操作を防止することができる。
【００６６】
また、この実施態様では、前記機能表示部９の機能表示を、ＬＥＤ９５で行い、前記多機能スイッチ８ａの照明ランプ１０の輝度を、ＬＥＤ９５の輝度よりも高く設定したものである。、
上記構成によれば、ＬＥＤ９５で機能表示部９の機能表示が行われることで、多機能スイッチ８ａの機能内容を確実に運転者に認識させつつ、多機能スイッチ８ａの照明ランプ１０の輝度を、ＬＥＤ９５の輝度よりも高く設定したため、多機能スイッチ８ａの方が目立つことになるため、運転者は、確実に多機能スイッチ８ａを操作しやすくなり、夜間等の誤操作を防止することができる。
【００６７】
また、この実施態様では、前記機能表示部９の機能表示を、ＬＥＤ９５で行い、前記多機能スイッチ８ａの照明ランプ１０の発光面積を、ＬＥＤ９５の発光面積よりも広く設定したものである。
【００６８】
上記構成によれば、ＬＥＤ９５で機能表示部９の機能表示が行われることで、多機能スイッチ８ａの機能内容を確実に運転者に認識させつつ、多機能スイッチ８ａの照明ランプ１０の発光面積を、ＬＥＤ９５の発光面積よりも広く設定したため、多機能スイッチ８ａの方が目立つことになるため、運転者は、確実に多機能スイッチ８ａを操作しやすくなり、夜間等の誤操作を防止することができる。
【００６９】
次に、図７に示す第二の実施形態について説明する。  
この実施形態は、下側列の操作スイッチ１８と機能表示部１９の配置関係を、前述の実施形態の上側列と同様に、操作スイッチ１８を上側、機能表示部１９を下側に設定しているものである。すなわち、下側列においても、機能表示部１９よりも操作スイッチ１８をステアリングホイール４に近い位置に配置することで、誤操作を防止しようとするものである。
【００７０】
なお、その他の構成要素や、制御方法等は前述の実施形態と同様であるため、同じ符号を付して説明を省略する。
【００７１】
このように、下側列も機能表示部１９よりも操作スイッチ１８をステアリングホイール４に近い位置に設定することで、前述の作用効果が下側列でも得ることができる。よって、この実施態様では、前述の実施態様のものより、さらに誤操作のおそれを低減することができる。  
なお、その他の作用効果については、前述の実施態様と同様である。
【００７２】
次に、図８に示す第三の実施形態について説明する。  
この実施形態は、多機能スイッチ２８ａの操作スイッチ２８を上側列に集中配置し、下側列に単機能スイッチ２８ｂの操作スイッチ２８を配置したものである。すなわち、各モードごとに機能が変化して、モードごとに機能内容を確認しなければならない多機能スイッチ２８ａを上側列に集中配置したものである。なお、その他の構成要素等は前述の実施態様と同様である。
【００７３】
このように、多機能スイッチ２８ａを上側列に集中配置することで、誤操作が生じやすい多機能スイッチ２８ａの操作スイッチ２８と機能表示部９の配置関係が、機能表示部９よりも操作スイッチ２８をステアリングホイール４に近い位置に設定できるため、誤操作を確実に防止することができる。  
なお、その他の作用効果については、前述の実施態様と同様である。
【００７４】
次に、図９に示す第四の実施形態について説明する。  
この実施形態は、前述の第三の実施態様と同様の配置構造を採用しているが、上側列の多機能スイッチ２８ａの操作スイッチ２８のみに、照明ランプ２０を設けたものである。なお、その他の構成要素等は前述の実施態様と同様である。
【００７５】
このように、多機能スイッチ２８ａの操作スイッチ２８のみに、照明ランプ２０を設けることにより、誤操作の可能性が高い操作スイッチ２８のみに照明ランプ２０を設けることになるため、不必要な照明ランプ及び点灯時の消費電力を削減でき、生産コスト削減および消費電力削減を図ることができる。  
なお、その他の作用効果については、前述の実施態様と同様である。
【００７６】
次に、図１０に示す第五の実施形態について説明する。  
この実施形態は、最初の実施形態と操作スイッチ８と機能表示部９との配置関係は同様であるが、ボリュームつまみ７の右側に位置する上下の操作スイッチ３８が３つの機能内容を持つように構成したものである。
【００７７】
具体的には、ＡＭ／ＦＭラジオ１３のモードの際には、機能表示部３９に「ＳＥＥＫ」が表示され、操作スイッチ３８がＡＭ／ＦＭの設定済みのバンドを選択する機能を有し、ＣＤデッキ１５のモードの際には、機能表示部３９に「ＴＲＡＣＫ」が表示され、操作スイッチ３８がＣＤの曲を選択する機能を有し、ＭＤ又はカセットデッキ１６のモードの際には、機能表示部３９に「ＡＰＣ」が表示され、操作スイッチ３８がＭＤ又はカセットの曲を選択する機能を有するように構成している。
【００７８】
このように、操作スイッチ３８が３つの機能内容を持つことにより、さらに多機能スイッチとしての機能を広げることができ、コンパクトなレイアウトスペースで多様な機能内容を得ることができる。  
なお、その他の作用効果については、前述の実施態様と同様である。
【００７９】
以上、この発明の構成と、前述の実施態様との対応において、
この発明のモード選択手段は、実施態様のモード選択スイッチ５に対応し、
発光手段は、照明ランプ１０，２０に対応するも、
この発明は、前述の実施態様の構成のみに限定されるものではなく、様々な車両用スイッチ表示装置の実施態様を含むものである。
【００８０】
前提となる電装機器についても、オーディオ装置に限定されず、ナビゲーション装置や情報端末装置等であってもよい。
【図面の簡単な説明】
【００８１】
【図１】本発明が適用されたオーディオ装置の装着状態を示す車室内斜視図。
【図２】オーディオ装置の正面図。
【図３】図２のＡ−Ａ線矢視断面図。
【図４】オーディオ装置の表示・照明システムのブロック図。
【図５】表示・照明制御の制御フローチャート。
【図６】機能表示部の表示状態を示した図。
【図７】第二の実施態様の正面図。
【図８】第三の実施態様の正面図。
【図９】第四の実施態様の正面図。
【図１０】第五の実施態様の正面図。
【符号の説明】
【００８２】
１…オーディオ装置（電装機器）
４…ステアリングホイール
５…モード選択スイッチ（モード選択手段）
８（８ａ），１８，２８（２８ａ），３８…操作スイッチ（多機能スイッチ）
９，１９，３９…機能表示部
１０，２０…照明ランプ（発光手段）
【図１】
2006040683.tif 000003
【図２】
2006040683.tif 000004
【図３】
2006040683.tif 000005
【図４】
2006040683.tif 000006
【図５】
2006040683.tif 000007
【図６】
2006040683.tif 000008
【図７】
2006040683.tif 000009
【図８】
2006040683.tif 000010
【図９】
2006040683.tif 000011
【図１０】
2006040683.tif 000012